(57)【要約】  本発明に係る活物質は、化学式Ｌｉ３＋ａＶ２−ｘＭｘ（ＰＯ４）３（−０．３≦ａ≦０．７、０＜ｘ≦１．４）で表され、Ｍは結晶構造中で２価又は４価の陽イオンになる元素である。  上記の活物質は、高い電子伝導性を有する。  また、上記の活物質を含む全固体二次電池は、内部抵抗が低減したものとなる。
2019167783.tif 000002
【特許請求の範囲】
【請求項１】
化学式Ｌｉ３＋ａＶ２−ｘＭｘ（ＰＯ４）３（−０．３≦ａ≦０．７、０＜ｘ≦１．４）で表され、  Ｍは結晶構造中で２価又は４価の陽イオンになる元素である、活物質。
【請求項２】
前記化学式においてＭで表記される元素は、Ｍｇ、Ｃａ、Ｔｉ及びＺｒからなる群から選択された１種以上の元素である、請求項１に記載の活物質。
【請求項３】
前記ｘが、０．２≦ｘ≦１．１である、請求項１又は２に記載の活物質。
【請求項４】
請求項１から３の何れか一項に記載の活物質を含む全固体二次電池。
【請求項５】
前記化学式においてＭで表記される元素を含む酸化物系固体電解質層を有する請求項４に記載の全固体二次電池。
【請求項６】
正極集電体層と、負極集電体層と、を有し、  前記正極集電体層は正極活物質を含み、  前記負極集電体層は負極活物質を含み、  前記正極集電体層に含まれる前記正極活物質の含有比は、前記正極集電体／前記正極活物質が９０／１０から７０／３０であり、  前記負極集電体層含まれる前記負極活物質の含有比は、前記負極集電体／前記負極活物質が９０／１０から７０／３０である請求項４または５に記載の全固体二次電池。
【発明の詳細な説明】
【技術分野】
【０００１】  本発明は、活物質及び全固体二次電池に関する。本願は、２０１８年２月２７日に出願された特願２０１８−０３３２５２号を基に優先権を主張し、その内容をここに援用する。
【背景技術】
【０００２】  リチウムイオン二次電池は、例えば、携帯電話、ノートＰＣ、ＰＤＡなどの携帯小型機器の電源として広く使用されている。このような携帯小型機器で使用されるリチウムイオン二次電池は、小型化、薄型化、信頼性の向上が求められている。【０００３】  リチウムイオン二次電池としては、電解質に有機電解液を用いたものと、固体電解質を用いたものとが知られている。電解質に固体電解質を用いたリチウムイオン二次電池（全固体二次電池）は、有機電解液を用いたリチウムイオン二次電池と比較して、電池形状の設計の自由度が高く電池サイズの小型化や薄型化が容易であり、また電解液の液漏れなどが起きず信頼性が高いという利点がある。【０００４】  一方で、全固体二次電池は、一般に有機電解液を用いたリチウムイオン二次電池と比較してリチウムイオンの伝導性が低い。加えて、活物質部分に導電助剤を加えることが難しく電子伝導性が低い。このため、全固体二次電池は、有機電解液を用いたリチウムイオン二次電池と比較して、内部抵抗が高く、出力電流が低いという問題がある。そこで、全固体二次電池では、リチウムイオンのイオン伝導性や活物質の電子伝導性を高めて、内部抵抗を低減させることが求められている。【０００５】  例えば、特許文献１には、Ｌｉ３Ｖ２（ＰＯ４）３系のリチウム二次電池用活物質のＰＯ４アニオンの一部をＢＯ３アニオンで置換することにより、優れた保存性能、特に高温保持性能を備えるとある。この実施の形態として、活物質表面にカーボンを付着させ、且つ被覆させて電子伝導性を補って利用することが重要とされている。
【先行技術文献】
【特許文献】
【０００６】
【特許文献１】国際公開第２０１１／０５２６３２号
【発明の概要】
【発明が解決しようとする課題】
【０００７】  しかしながら、全固体二次電池の体積エネルギー密度を向上するためには、正極活物質層、及び、負極活物質層の活物質比率が高い方がよく、カーボンなどの導電助剤を混ぜることなく活物質を利用できることが好ましい。そのため、活物質自身の電子伝導性の向上が求められている。正極活物質及び負極活物質の電子伝導性が向上すれば、全固体二次電池の内部抵抗のさらなる低減が可能である。【０００８】  本発明は、上記課題を鑑みてなされたものであり、電子伝導性の高い活物質及び当該活物質を含む全固体二次電池を提供する。
【課題を解決するための手段】
【０００９】  本発明者は、上記課題を解決するために、鋭意検討を重ねた。その結果、従来の活物質Ｌｉ３Ｖ２（ＰＯ４）３（以降ＬＶＰと略記する）のＶ（バナジウム）の一部を、２価又は４価の陽イオンになる元素で置換することによって、高い電子伝導性が得られることを見出した。【００１０】上記課題を解決するために、以下の手段を提供する。【００１１】（１）第１の態様にかかる活物質は、化学式Ｌｉ３＋ａＶ２−ｘＭｘ（ＰＯ４）３（−０．３≦ａ≦０．７、０＜ｘ≦１．４）で表され、Ｍは結晶構造中で２価又は４価の陽イオンになる元素である。【００１２】（２）上記態様にかかる活物質は、上記化学式においてＭで表記される元素が、Ｍｇ、Ｃａ、Ｔｉ及びＺｒからなる群から選択された１種以上の元素であってもよい。【００１３】（３）上記態様にかかる活物質において、上記ｘが、０．２≦ｘ≦１．１であってもよい。【００１４】（４）第２の態様にかかる全固体二次電池は、上記第１の態様の何れかにかかる活物質を含む。【００１５】（５）上記態様にかかる全固体二次電池は、上記化学式においてＭで表記される元素を含む酸化物系固体電解質層を有していてもよい。（６）上記態様にかかる全固体二次電池は、正極集電体層と、負極集電体層と、を有し、上記正極集電体層は正極活物質を含み、上記負極集電体層は負極活物質を含み、正極集電体層に含まれる活物質の含有比は、正極集電体／正極活物質が９０／１０から７０／３０であり、上記負極集電体層含まれる活物質の含有比は、負極集電体／負極活物質が９０／１０から７０／３０であってもよい。
【発明の効果】
【００１６】  上記態様にかかる活物質は、高い電子伝導性を有する。
【図面の簡単な説明】
【００１７】
【図１】第１実施形態にかかる全固体二次電池の断面の一例を示す模式図である。
【発明を実施するための形態】
【００１８】  以下、本発明の好ましい例について、図を適宜参照しながら詳細に説明する。以下の説明で用いる図面は、本発明の特徴をわかりやすくするために便宜上特徴となる部分を拡大して示している場合がある。したがって、図面に記載の各構成要素の寸法比率などは、実際とは異なっていることがある。以下の説明において例示される材料、寸法等は一例であって、本発明はそれらに限定されるものではなく、その効果を奏する範囲で適宜変更して実施することが可能である。本発明は、以下に示す実施形態のみに限定されるものではなく、その効果を奏する範囲で適宜変更して実施することが可能である。例えば、本発明の主旨を逸脱しない範囲で、数や数値や量や比率や特性などについて、省略や追加や変更をすることが可能である。
【００１９】［全固体二次電池］  図１は、本実施形態の全固体二次電池１０の断面の一例を概略的に示す模式図である。  図１に示す全固体二次電池１０は、少なくとも一つの第１電極層１と、少なくとも一つの第２電極層２と、第１電極層１と第２電極層２とに挟まれた固体電解質３とを有する。積層体４は、第１電極層１と、固体電解質３と、第２電極層２とが順に積層された構成を有する。第１電極層１は、それぞれ一端側に配設された端子電極５に接続されている。第２電極層２は、それぞれ他端側に配設された端子電極６に接続されている。  ここで、本実施形態では、上下方向を設定して各構成の位置関係を説明する。以下、図１の上側を上方向とし、図１の下側を下方向とする。尚、本実施形態にかかる二次固体電池の構成は向きに限定されず、上下が逆の構成であってもよい。
【００２０】  第１電極層１と、第２電極層２は、いずれか一方が正極層として機能し、他方が負極層として機能する。以下、理解を容易にするために、本実施形態では第１電極層１を正極層１とし、第２電極層２を負極層２とした場合を例に記載する。尚、本実施形態は、第１電極層１が正極層で第２電極層２が負極層である構成に限定されず、第１電極層１が負極層で第２電極層が正極層である構成であってもよい。以下、本明細書中で、符号１は正極層を指し、符号２は負極層を指す。
【００２１】  図１に示すように、正極層１と負極層２は、固体電解質３を介して交互に積層されている。全固体二次電池の充電は、正極層１と負極層２との間で固体電解質３を介したリチウムイオンの授受により行われる。
【００２２】＜正極層及び負極層＞  正極層１は、正極集電体層１Ａと、正極活物質を含む正極活物質層１Ｂとを有する。負極層２は、負極集電体層２Ａと、負極活物質を含む負極活物質層２Ｂとを有する。
【００２３】  正極集電体層１Ａ及び負極集電体層２Ａは、導電率が高いことが好ましい。そのため、正極集電体層１Ａ及び負極集電体層２Ａには、例えば、銀、パラジウム、金、プラチナ、アルミニウム、銅、ニッケル等を用いることが好ましい。これらの物質の中でも、銅は正極活物質、負極活物質及び固体電解質と反応しにくい。そのため、正極集電体層１Ａ及び負極集電体層２Ａに銅を用いると、全固体二次電池１０の内部抵抗を低減できる。なお、正極集電体層１Ａと負極集電体層２Ａとを構成する物質は、同一でもよいし、異なってもよい。
【００２４】  正極活物質層１Ｂは、正極集電体層１Ａの片面又は両面に形成される。例えば、正極層１と負極層２のうち、積層体４の積層方向の最上層に正極層１が形成されている場合、最上層に位置する正極層１の上には対向する負極層２が無い。すなわち、最上層に位置する正極層１において正極活物質層１Ｂは、積層方向下側の片面のみにあればよい。
【００２５】  負極活物質層２Ｂも正極活物質層１Ｂと同様に、負極集電体層２Ａの片面又は両面に形成される。また、正極層１と負極層２のうち、積層体４の積層方向の最下層に負極層２が形成されている場合、最下層に位置する負極層２において負極活物質層２Ｂは、積層方向上側の片面のみにあればよい。
【００２６】  正極活物質層１Ｂは、電子を授受する正極活物質を含む。また、負極活物質層２Ｂは、電子を授受する負極活物質を含む。この他、正極活物質層１Ｂ及び負極活物質層２Ｂは、導電助剤や結着剤等を含んでもよい。正極活物質及び負極活物質は、リチウムイオンを効率的に挿入、脱離できることが好ましい。
【００２７】  負極活物質及び正極活物質には、Ｌｉ３Ｖ２（ＰＯ４）３におけるＶの一部を別の元素Ｍで置換し、さらにＬｉの組成量を調整した活物質が用いられる。具体的には、負極活物質及び正極活物質として、化学式Ｌｉ３＋ａＶ２−ｘＭｘ（ＰＯ４）３（−０．３≦ａ≦０．７、０＜ｘ≦１．４）で表される活物質である。ここで、Ｍは結晶構造中で２価又は４価の陽イオンになる元素である活物質が用いられる。また、Ｌｉの組成量は−０．３≦ａ≦０．７であることが好ましく、−０．２≦ａ≦０．６であることがより好ましく、−０．１≦ａ≦０．４であることがさらに好ましい。Ｌｉの組成量を当該範囲とすることで、高い電子伝導性を得ることができる。
【００２８】  このような活物質は、Ｌｉ３Ｖ２（ＰＯ４）３におけるＶの一部を別の元素Ｍで置換することで元素置換されていない活物質Ｌｉ３Ｖ２（ＰＯ４）３に比べて高い電子伝導性が得られる。２価の陽イオンとなり得る元素を置換する場合、結晶格子中に酸素欠損が出来易くなり、酸素欠損が生じることで自由になる電子が生じる。また、４価の陽イオンになり得る元素を置換する場合、結晶格子中に正孔が出来易くなり、正孔が生じる。このように、Ｖの一部を、結晶格子中で２価又は４価をとる元素で置換することによって、活物質の電子伝導性が向上し、全固体二次電池の内部抵抗を低減することが出来る。すなわち、出力電流を高めることができる。
【００２９】  活物質は、便宜上、全固体二次電池において用いられるものとして説明されるが、活物質は、全固体二次電池だけでなく全固体電池においても用いてもよい。
【００３０】  上記化学式Ｌｉ３＋ａＶ２−ｘＭｘ（ＰＯ４）３においてＭで表記される元素は、結晶構造中で２価又は４価の陽イオンになる元素であればよい。好ましくは、上記化学式Ｌｉ３＋ａＶ２−ｘＭｘ（ＰＯ４）３においてＭで表記される元素は、Ｍｇ、Ｃａ、Ｔｉ、Ｚｒ、Ｓｒ、Ｂａ、Ｎｂ、Ｔａ、Ｃｒ、Ｍｎ、Ｆｅ、Ｃｏ、Ｎｉ、Ｃｕ、Ｚｎ、Ｍｏ、Ｒｕ、Ｒｈ及びＷからなる群から選択された１種以上の元素であればよい。さらに好ましくは、上記化学式Ｌｉ３＋ａＶ２−ｘＭｘ（ＰＯ４）３においてＭで表記される元素は、Ｍｇ、Ｃａ、Ｔｉ及びＺｒからなる群から選択された１種以上の元素であればよい。最も好ましくは、上記化学式Ｌｉ３＋ａＶ２−ｘＭｘ（ＰＯ４）３においてＭで表記される元素は、Ｔｉであればよい。
【００３１】  例えば、ＴｉはＶの３価の陽イオン（６配位）のイオン半径に近いイオン半径を有する。Ｖの３価の陽イオン（６配位）のイオン半径に近いイオン半径を有する元素は、Ｖと置換しやすいと考えられる。Ｖの３価の陽イオン（６配位）のイオン半径よりも大きいイオン半径を有する元素は、Ｖを当該元素によって置換した場合、Ｌｉ３＋ａＶ２（ＰＯ４）３結晶中で当該元素とＯとの結合を弱くする傾向にある。これによって、還元雰囲気などの加熱処理で容易に酸素が脱離しやすい状態となる。
【００３２】  活物質Ｌｉ３＋ａＶ２（ＰＯ４）３におけるＶの３価の陽イオン（６配位）のイオン半径は、０．６４Åである。これに対して、Ｔｉの２価の陽イオン（６配位）は０．８６Åのイオン半径を有し、Ｔｉの３価の陽イオン（６配位）は０．６７Åのイオン半径を有し、Ｔｉの４価の陽イオン（６配位）は０．６１Åのイオン半径を有する。Ｍｇの２価の陽イオン（６配位）は０．７２Åのイオン半径を有する。Ｃａの２価の陽イオン（６配位）は１．００Åのイオン半径を有する。Ｚｒの４価の陽イオン（６配位）は０．７２Åのイオン半径を有する。
【００３３】  上記化学式Ｌｉ３＋ａＶ２−ｘＭｘ（ＰＯ４）３において、元素Ｍの置換量ｘは、０．２≦ｘ≦１．１であることが好ましい。元素Ｍの置換量ｘは、より好ましくは、０．４≦ｘ≦０．９である。
【００３４】  元素Ｍの置換量ｘが、１．１より大きくなると、最終的な活物質に含まれるＶの含有量が小さくなり、活物質の容量が低下する場合がある。正極活物質層１Ｂ及び負極活物質層２Ｂに用いられるＬｉ３＋ａＶ２（ＰＯ４）３のＬｉ脱離反応において、価数が変化するＶの存在が必須と考えられるためである。
【００３５】  元素Ｍの置換量ｘが、０．２より小さくなると、最終的な活物質に含まれるＭの含有量が小さくなり、酸素欠陥及び／又は正孔が生成されにくくなるので、電子伝導性の向上が小さくなる。元素Ｍ置換量を０．４≦ｘ≦０．９とすると、より好適に活物質の容量を向上し、かつ、電子伝導性を向上することができる。
【００３６】  元素Ｍの置換量ｘの好ましい範囲は、元素Ｍとして用いられる元素によってはこの範囲より広がる場合もある。例えば、元素ＭがＴｉの場合は、０．０５≦ｘ≦１．３の範囲で活物質の容量を高く維持でき、好ましくは０．２≦ｘ≦１．１であり、より好ましくは、０．２≦ｘ≦０．７５である。また元素ＭがＭｇの場合は、０．０５≦ｘ≦１．１の範囲で活物質の容量を高く維持でき、好ましくは０．１≦ｘ≦０．７５であり、０．１≦ｘ≦０．５である。また元素ＭがＣａの場合は、０．１≦ｘ≦１．１の範囲で活物質の容量を高く維持でき、好ましくは０．１≦ｘ≦０．７５であり、よりこのましくは、０．１≦ｘ≦０．５である。また元素ＭがＺｒの場合は、０．０５≦ｘ≦１．３の範囲で活物質の容量を高く維持でき、好ましくは０．１≦ｘ≦１．１であり、より好ましくは０．１≦ｘ≦０．７５である。
【００３７】  正極活物質層１Ｂ又は負極活物質層２Ｂを構成する活物質には明確な区別がない。２種類の化合物の電位を比較して、より貴な電位を示す化合物を正極活物質として用い、より卑な電位を示す化合物を負極活物質として用いることができる。
【００３８】  また、正極集電体層１Ａ及び負極集電体層２Ａは、それぞれ正極活物質及び負極活物質を含んでもよい。それぞれの集電体層に含まれる活物質の含有比は、集電体として機能する限り特に限定はされない。例えば、正極集電体／正極活物質、又は負極集電体／負極活物質が体積比率で９０／１０から７０／３０の範囲であることが好ましく、より好ましくは、８５／１５から７５／２５の範囲である。
【００３９】  正極集電体層１Ａが正極活物質を含むことにより、正極集電体層１Ａと正極活物質層１Ｂとの密着性が向上する。同様に、負極集電体層２Ａが負極活物質を含むことにより、負極集電体層２Ａと負極活物質層２Ｂとの密着性が向上する。
【００４０】「固体電解質」  固体電解質３は、リン酸塩系固体電解質であることが好ましい。固体電解質３としては、電子の伝導性が小さく、リチウムイオンの伝導性が高い材料を用いることが好ましい。  具体的には例えば、Ｌａ０．５Ｌｉ０．５ＴｉＯ３などのペロブスカイト型化合物や、Ｌｉ１４Ｚｎ（ＧｅＯ４）４などのリシコン型化合物、Ｌｉ７Ｌａ３Ｚｒ２Ｏ１２などのガーネット型化合物、Ｌｉ１．３Ａｌ０．３Ｔｉ１．７（ＰＯ４）３やＬｉ１．５Ａｌ０．５Ｇｅ１．５（ＰＯ４）３などのナシコン型化合物、Ｌｉ３．２５Ｇｅ０．２５Ｐ０．７５Ｓ４やＬｉ３ＰＳ４などのチオリシコン型化合物、Ｌｉ２Ｓ−Ｐ２Ｓ５やＬｉ２Ｏ−Ｖ２Ｏ５−ＳｉＯ２などのガラス化合物、Ｌｉ３ＰＯ４やＬｉ３．５Ｓｉ０．５Ｐ０．５Ｏ４やＬｉ２．９ＰＯ３．３Ｎ０．４６などのリン酸化合物、よりなる群から選択される少なくとも１種であることが望ましい。
【００４１】  固体電解質３は、上記化学式Ｌｉ３＋ａＶ２−ｘＭｘ（ＰＯ４）３においてＭで表記される元素を含む酸化物系固体電解質であることが好ましい。すなわち、結晶構造中で２価又は４価の陽イオンになる元素であればよい。例えば、Ｍｇ、Ｃａ、Ｔｉ、Ｚｒ、Ｓｒ、Ｂａ、Ｎｂ、Ｔａ、Ｃｒ、Ｍｎ、Ｆｅ、Ｃｏ、Ｎｉ、Ｃｕ、Ｚｎ、Ｍｏ、Ｒｕ、Ｒｈ及びＷからなる群から選択された１種以上の元素である。また、固体電解質３は、好ましくは、Ｍｇ、Ｃａ、Ｔｉ及びＺｒからなる群から選択された１種以上の元素であり、より好ましくは、Ｔｉである。このような固体電解質３は、例えば、全固体二次電池に用いることができる。
【００４２】  固体電解質３が元素Ｍを含むと、固体電解質３と元素Ｍを含む正極活物質層１Ｂ及び／又は負極活物質層２Ｂとの接合界面における元素Ｍの濃度の変化が緩やかになる。そのため、正極活物質層１Ｂと固体電解質３との接合界面における活性化エネルギー、及び、負極活物質層２Ｂと固体電解質３との接合界面におけるＬｉイオンの活性化エネルギーが小さくなる。ここで、正極活物質層１Ｂと固体電解質層３との接合界面における活性化エネルギーとは、Ｌｉイオンが正極活物質層１Ｂと固体電解質３との接合界面を通過するのに必要なエネルギーを意味する。また、負極活物質層２Ｂと固体電解質３との接合界面における活性化エネルギーとは、負極活物質層２Ｂと固体電解質３との接合界面を通過するのに必要なエネルギーを意味する。そのため、正極活物質層１Ｂと固体電解質３との接合界面、及び、負極活物質層２Ｂと固体電解質３との接合界面でのＬｉイオンの移動がし易くなり、接合界面におけるＬｉイオン伝導性が向上する。このため、全固体二次電池の内部抵抗は低減する。
【００４３】（端子電極）  端子電極５，６は、図１に示すように、積層体４の側面（正極層１及び負極層２の端面の露出面）に接して形成されている。端子電極５，６は外部端子に接続されて、積層体４への電子の授受を担う。
【００４４】  端子電極５，６には、導電率が大きい材料を用いることが好ましい。例えば、銀、金、プラチナ、アルミニウム、銅、スズ、ニッケル、ガリウム、インジウム、及びこれらの合金などを用いることができる。
【００４５】「全固体二次電池の製造方法」（積層体の形成）  積層体４を形成する方法としては、例えば、同時焼成法を用いてもよいし、逐次焼成法を用いてもよい。
【００４６】  同時焼成法は、各層を形成する材料を積層した後、一括焼成により積層体を作製する方法である。逐次焼成法は、各層を順に作製する方法であり、各層を作製する毎に焼成工程を行う方法である。同時焼成法を用いた方が、逐次焼成法を用いる場合と比較して、少ない作業工程で積層体４を形成できる。また、同時焼成法を用いた方が、逐次焼成法を用いる場合と比較して、得られる積層体４が緻密になる。以下、本実施形態に係る積層体４を形成する方法は、公知の逐次焼成法等を用いても良いが、同時焼成法を用いて積層体４を製造する場合を例に挙げて説明する。
【００４７】  同時焼成法は、積層体４を構成する各材料のペーストを作成する工程と、ペーストを塗布乾燥してグリーンシートを作製する工程と、グリーンシートを積層して積層シートとし、これを同時焼成する工程とを有する。  まず、積層体４を構成する正極集電体層１Ａ、正極活物質層１Ｂ、固体電解質３、負極活物質層２Ｂ、及び負極集電体層２Ａの各材料をペースト化する。
【００４８】  各材料をペースト化する方法は、特に限定されない。例えば、ビヒクルに各材料の粉末を混合してペーストが得ても良い。ここで、ビヒクルとは、液相における媒質の総称である。ビヒクルには、溶媒、バインダー等が含まれる。  かかる方法により、正極集電体層１Ａ用のペースト、正極活物質層１Ｂ用のペースト、固体電解質３用のペースト、負極活物質層２Ｂ用のペースト、及び負極集電体層２Ａ用のペーストを作製する。
【００４９】  次いで、グリーンシートを作成する。グリーンシートは、作製したペーストをＰＥＴ（ポリエチレンテレフタラート）フィルムなどの基材上に塗布し、必要に応じ乾燥させた後、基材を剥離して得られる。ペーストの塗布方法は、特に限定されない。例えば、スクリーン印刷、塗布、転写、ドクターブレード等の公知の方法を採用できる。
【００５０】  次に、作製したそれぞれのグリーンシートを、所望の順序、積層数で積み重ね、積層シートとする。グリーンシートを積層する際には、必要に応じアライメント、切断等を行う。例えば、並列型又は直並列型の電池を作製する場合には、正極集電体層の端面と負極集電体層の端面が一致しないようにアライメントを行い、グリーンシートを積み重ねることが好ましい。
【００５１】  積層シートは、公知の方法で作成することができるが、積層シートは、例えば、以下に説明する正極活物質層ユニット及び負極活物質層ユニットを作製し、これを積層する方法を用いて作製してもよい。  まず、ＰＥＴフィルムなどの基材上に、固体電解質３用ペーストをドクターブレード法により塗布し、乾燥してシート状の固体電解質３を形成する。次に、固体電解質３上に、スクリーン印刷により正極活物質層１Ｂ用ペーストを印刷して乾燥し、正極活物質層１Ｂを形成する。次いで、正極活物質層１Ｂ上に、スクリーン印刷により正極集電体層１Ａ用ペーストを印刷して乾燥し、正極集電体層１Ａを形成する。さらに、正極集電体層１Ａ上に、スクリーン印刷により正極活物質層１Ｂ用ペーストを印刷して乾燥し、正極活物質層１Ｂを形成する。
【００５２】  その後、ＰＥＴフィルムを剥離することで正極活物質層ユニットが得られる。正極活物質層ユニットは、固体電解質３／正極活物質層１Ｂ／正極集電体層１Ａ／正極活物質層１Ｂがこの順で積層された積層シートである。  同様の手順にて負極活物質層ユニットを作製する。負極活物質層ユニットは、固体電解質３／負極活物質層２Ｂ／負極集電体層２Ａ／負極活物質層２Ｂがこの順に積層された積層シートである。
【００５３】  次に、一枚の正極活物質層ユニットと一枚の負極活物質層ユニット一枚とを積層する。この際、正極活物質層ユニットの固体電解質３と負極活物質層ユニットの負極活物質層２Ｂ、若しくは正極活物質層ユニットの正極活物質層１Ｂと負極活物質層ユニットの固体電解質３とが接するように積層する。これによって、正極活物質層１Ｂ／正極集電体層１Ａ／正極活物質層１Ｂ／固体電解質３／負極活物質層２Ｂ／負極集電体層２Ａ／負極活物質層２Ｂ／固体電解質３がこの順で積層された積層シートが得られる。次いで脱バイおよび焼成することにより全固体電池の積層体が製造される。
【００５４】  なお、正極活物質層ユニットと負極活物質層ユニットとを積層する際には、正極活物質層ユニットの正極集電体層１Ａが一の端面にのみ延出し、負極活物質層ユニットの負極集電体層２Ａが他の面にのみ延出するように、各ユニットをずらして積み重ねる。その後、ユニットを積み重ねた積層体の固体電解質３が表面に存在しない側の面に、所定厚みの固体電解質３用シートをさらに積み重ね、積層シートとする。脱バイおよび焼成は、例えば窒素雰囲気下で６００℃〜１０００℃の温度で焼成を行うことができる。脱バイおよび焼成の保持時間は、例えば０．１〜６時間とする。
【００５５】  次に、作製した積層シートを一括して圧着する。圧着は、加熱しながら行うことが好ましい。圧着時の加熱温度は、例えば、４０〜９５℃とすることができ、５０〜８０℃とすることが好ましい。  次に、圧着した積層シートを、一括して同時焼成し、焼結体からなる積層体４とする。積層シートの焼成は、例えば、窒素雰囲気下で６００℃〜１０００℃に加熱することにより行う。焼成時間は、例えば、０．１〜３時間とする。
【００５６】  得られた焼結体（積層体４）は、アルミナなどの研磨材とともに円筒型の容器に入れて、バレル研磨してもよい。これにより積層体４の角の面取りをすることができる。そのほかの方法として、積層体４をサンドブラストにて研磨しても良い。この方法では特定の部分のみを削ることができるため好ましい。  以上の工程により、積層体４が得られる。
【００５７】  作製された積層体４の端部に、端子電極５，６を形成することで、全固体リチウムイオン二次電池を作製できる。端子電極５，６は、公知の手段で作成することができるが、例えばスパッタリング等の手段で作製できる。
【００５８】  上述のように、本実施形態にかかる活物質は、高い電子伝導性を示す。
【００５９】  また活物質Ｌｉ３Ｖ２（ＰＯ４）３よりも電子伝導性の高いＬｉ３＋ａＶ２−ｘＭｘ（ＰＯ４）３（−０．３≦ａ≦０．７より好ましくは−０．１≦ａ≦０．４、０＜ｘ≦１．４、より好ましくは、０．２≦ｘ≦１．１）を全固体二次電池の正極活物質又は負極活物質に用いることで、全固体二次電池における正極活物質層又は負極活物質層の電子伝導性が向上することができる。つまり全固体二次電池の内部抵抗を低減できる。
【００６０】  以上、本発明の好適な実施形態の例について図面を参照して詳述したが、各実施形態における各構成及びそれらの組み合わせ等は一例であり、本発明はかかる例に限定されないことは言うまでもない。各実施形態における各構成は、本発明の趣旨から逸脱しない範囲内で、構成の付加、省略、置換、及びその他の種々の変更が可能である。
【実施例】
【００６１】（実施例１〜１０、比較例１、２）  固体電解質３／正極活物質層１Ｂ／正極集電体層１Ａ／正極活物質層１Ｂ／固体電解質３／負極活物質層２Ｂ／負極集電体層２Ａ／負極活物質層２Ｂ／固体電解質３がこの順で積層されている積層体４を同時焼成法により作製した。各層の構成は以下とした。  正極集電体層１Ａ及び負極集電体層２Ａ：Ｃｕ＋Ｌｉ３Ｖ２（ＰＯ４）３  正極活物質層１Ｂ及び負極活物質層２Ｂ：Ｌｉ３＋ａＶ２−ｘＴｉｘ（ＰＯ４）３（ただし、ａ＝０、０≦ｘ≦１．５）  固体電解質３：Ｌｉ１．３Ａｌ０．３Ｔｉ１．７（ＰＯ４）３  積層数は２５層とした。正極集電体層１Ａ、負極集電体層２Ａ、正極活物質層１Ｂ及び負極活物質層２Ｂの焼成後におけるそれぞれの厚さが３μｍ、正極活物質層１Ｂと負極活物質層２Ｂとに挟まれる固体電解質層の焼成後における厚さが２０μｍとなるように作製した。  同時焼成時の温度は８００℃とし、焼成時間は、１時間とした。  尚、以下ａ＝０のＬｉ３＋ａＶ２−ｘＴｉｘ（ＰＯ４）３は、Ｌｉ３Ｖ２−ｘＴｉｘ（ＰＯ４）３は、として記載する場合がある。【００６２】  正極活物質層１Ｂ及び負極活物質層２Ｂに用いた活物質に関して、電子伝導性［Ｓ／ｃｍ］を測定した。また、当該活物質を用いて作製した積層体４に関して、内部抵抗［Ω］を測定した。【００６３】  正極活物質層１Ｂ及び負極活物質層２Ｂに用いた活物質の電子伝導性［Ｓ／ｃｍ］は、以下のように測定された。  活物質粉末をディスク成形し（サイズはφ１０ｍｍ、厚さ約２ｍｍ）、相対密度が９２％以上になるように窒素雰囲気中にて８５０〜１０００℃で焼成し、ディスク焼結体を得た。得られたディスク焼結体を表面研磨し、寸法（直径Ｒ、厚みｔ）を測定したのち、マグネトロンスパッタ器を用いて、Ｐｔスパッタし、ディスク焼結体両面にＰｔ電極を形成し電子伝導性測定用サンプルを作製した。インピーダンスアナライザー（ソーラトロン社製１２６０）を用いて、作製した電子伝導性測定用サンプルに１Ｖ印加し、１５分間後の電流値Ｉ´から電子伝導性を算出した。算出式としてσｅ＝Ｉ´×ｔ／（π（Ｒ／２）２）を用いた。【００６４】  積層体４の内部抵抗［Ω］は、以下のように測定された。  積層体４の端子電極５，６として樹脂Ａｇペーストを塗布し、電極を形成したのち、１．６ＶまでＣＣ２０μＡ充電を行った。１０分間の休止の後（このときの放電開始直前の電圧をＶとする）、ＣＣ２０μＡ放電を開始した直後１秒後の電圧値Ｖ´から内部抵抗を算出した。算出式として内部抵抗＝（Ｖ−Ｖ´）／２０μを用いた。【００６５】
【表１】
2019167783.tif 000003
【００６６】  表１から分かるようにＬｉ３Ｖ２（ＰＯ４）３におけるＶの一部をＴｉで置換した活物質は、電子伝導性の増加を示し、当該活物質を有する積層体４は、内部抵抗の低減を示した。特に、化学式Ｌｉ３Ｖ２−ｘＴｉｘ（ＰＯ４）３においてＴｉの置換量ｘが０．２から１．１（実施例４から８）の場合に、電子伝導性は４．７×１０−７Ｓ／ｃｍ以上となり、内部抵抗は２４０Ω以下となった。【００６７】  理論によって縛られるものではないが、このような電子伝導性の増加及び内部抵抗の減少は、活物質の結晶格子中でＴｉがイオン化した際に取り得る価数、及びＴｉイオンのイオン半径に起因すると考えられる。活物質の結晶格子中でＴｉが２価の陽イオンになる場合、結晶格子中に酸素欠損が出来易くなり、自由になる電子が生じる。活物質の結晶格子中でＴｉが４価の陽イオンになる場合、結晶格子中に正孔が出来易くなり、正孔が生じる。Ｖのイオン半径（３価の陽イオン、６配位で０．６４Å）よりも大きいＴｉのイオン半径（２価の陽イオン且つ６配位で０．８６Å）が、活物質の結晶格子中でＴｉ−Ｏ間の結合力を弱めることで、加熱処理における酸素の脱離を促進し、酸素欠陥を生成する。このようにして、活物質の電子伝導性が増加していると考えられる。【００６８】  一方、ＶをＴｉで置換しない場合（比較例１）、電子伝導性は７．４×１０−８Ｓ／ｃｍであり、実施例４から８と比較して約１桁低かった。また、Ｔｉを多量に置換した場合（比較例２）、電子伝導性の向上はほとんど観測されなかった。また、Ｔｉを多量に置換した場合に内部抵抗は増加した。【００６９】（実施例１１〜２０、比較例３）  実施例１１〜２０は、実施例１〜１０における正極活物質層１Ｂ及び負極活物質層２Ｂ：Ｌｉ３＋ａＶ２−ｘＴｉｘ（ＰＯ４）３（ただし、ａ＝０、０≦ｘ≦１．５）を、Ｌｉ３＋ａＶ２−ｘＭｇｘ（ＰＯ４）３（ただし、ａ＝０、０≦ｘ≦１．５）に変更したこと以外は、実施例１〜１０と同様の条件である。すなわち、電子伝導性［Ｓ／ｃｍ］及び内部抵抗［Ω］は、実施例１〜１０と同様の条件で測定された。【００７０】
【表２】
2019167783.tif 000004
【００７１】  表２から分かるように、Ｌｉ３Ｖ２（ＰＯ４）３におけるＶの一部をＭｇで置換した活物質は、Ｖの一部をＭｇで置換していない活物質と比較して、電子伝導性の増加を示す。当該活物質を有する積層体４は、内部抵抗の低減を示した。特に、化学式Ｌｉ３Ｖ２−ｘＭｇｘ（ＰＯ４）３においてＭｇの置換量ｘが０．１から１．１（実施例１３から１８）の場合に、電子伝導性の増加、及び内部抵抗の低減が見られた。【００７２】  理論によって縛られるものではないが、このような電子伝導性の増加及び内部抵抗の減少は、活物質の結晶格子中でＭｇがイオン化した際に取り得る価数、及びＭｇイオンのイオン半径に起因すると考えられる。活物質の結晶格子中でＭｇが２価の陽イオンになる場合、結晶格子中に酸素欠損が出来易くなり、自由になる電子が生じる。Ｖのイオン半径（３価の陽イオン、６配位で０．６４Å）よりも大きいＭｇのイオン半径（２価の陽イオン且つ６配位で０．７２Å）が、活物質の結晶格子中でＭｇ−Ｏ間の結合力を弱めることで、加熱処理における酸素の脱離を促進し、酸素欠陥を生成する。このようにして、活物質の電子伝導性が増加していると考えられる。【００７３】  一方、Ｍｇを多量に置換した場合（比較例３）、電子伝導性の向上は観測されなかった。また、Ｍｇを多量に置換した場合、内部抵抗は増加した。【００７４】（実施例２１〜３０、比較例４）  実施例２１〜３０は、実施例１〜１０における正極活物質層１Ｂ及び負極活物質層２Ｂ：Ｌｉ３Ｖ２−ｘＴｉｘ（ＰＯ４）３（ただし、０≦ｘ≦１．５）を、Ｌｉ３Ｖ２−ｘＣａｘ（ＰＯ４）３（ただし、０≦ｘ≦１．５）に変更したこと以外は、実施例１〜１０と同様の条件である。電子伝導性［Ｓ／ｃｍ］及び内部抵抗［Ω］は、実施例１〜１０と同様の条件で測定された。【００７５】
【表３】
2019167783.tif 000005
【００７６】  表３から分かるように、Ｌｉ３Ｖ２（ＰＯ４）３におけるＶの一部をＣａで置換した活物質は、電子伝導性の増加を示し、当該活物質を有する積層体４は、内部抵抗の低減を示した。特に、化学式Ｌｉ３Ｖ２−ｘＣａｘ（ＰＯ４）３においてＣａの置換量ｘが０．１から１．１（実施例２３から２８）の場合に、電子伝導性の増加、及び内部抵抗の低減が顕著に見られた。【００７７】  理論によって縛られるものではないが、このような電子伝導性の増加及び内部抵抗の減少は、活物質の結晶格子中でＣａがイオン化した際に取り得る価数、及びＣａイオンのイオン半径に起因すると考えられる。活物質の結晶格子中でＣａが２価の陽イオンになる場合、結晶格子中に酸素欠損が出来易くなり、自由になる電子が生じる。Ｖのイオン半径（３価の陽イオン、６配位で０．６４Å）よりも大きいＣａのイオン半径（２価の陽イオン且つ６配位で１．００Å）が、活物質の結晶格子中でＣａ−Ｏ間の結合力を弱めることで、加熱処理における酸素の脱離を促進し、酸素欠陥を生成する。このようにして、活物質の電子伝導性が増加していると考えられる。【００７８】  一方、Ｃａを多量に置換した場合（比較例４）、電子伝導性の向上は観測されなかった。また、Ｃａを多量に置換した場合は、内部抵抗が増加した。【００７９】（実施例３１〜４０、比較例５）  実施例３１〜４０は、実施例１〜１０における正極活物質層１Ｂ及び負極活物質層２Ｂ：Ｌｉ３Ｖ２−ｘＴｉｘ（ＰＯ４）３（ただし、０≦ｘ≦１．５）を、Ｌｉ３Ｖ２−ｘＺｒｘ（ＰＯ４）３（ただし、０≦ｘ≦１．５）に変更したこと以外は、実施例１〜１０と同様の条件である。電子伝導性［Ｓ／ｃｍ］及び内部抵抗［Ω］は、実施例１〜１０と同様の条件で測定された。【００８０】
【表４】
2019167783.tif 000006
【００８１】  表４から分かるように、Ｌｉ３Ｖ２（ＰＯ４）３におけるＶの一部をＺｒで置換した活物質は、電子伝導性の増加を示し、当該活物質を有する積層体４は、内部抵抗の低減を示した。特に、化学式Ｌｉ３Ｖ２−ｘＺｒｘ（ＰＯ４）３においてＺｒの置換量ｘが０．１から１．１（実施例３３から３８）の場合に、電子伝導性の増加、及び内部抵抗の低減が見られた。【００８２】  理論によって縛られるものではないが、このような電子伝導性の増加及び内部抵抗の減少は、活物質の結晶格子中でＺｒがイオン化した際に取り得る価数、及びＺｒイオンのイオン半径に起因すると考えられる。活物質の結晶格子中でＺｒが４価の陽イオンになる場合、結晶格子中に正孔が出来易くなり、正孔が生じる。Ｖのイオン半径（３価の陽イオン、６配位で０．６４Å）よりも大きいＺｒのイオン半径（４価の陽イオン且つ６配位で０．７２Å）が、活物質の結晶格子中でＺｒ−Ｏ間の結合力を弱めることで、加熱処理における酸素の脱離を促進し、酸素欠陥を生成する。このようにして、活物質の電子伝導性が増加していると考えられる。【００８３】  一方、Ｚｒを多量に置換した場合（比較例５）、電子伝導性の向上は観測されなかった。また、Ｚｒを多量に置換した場合、内部抵抗は増加した。【００８４】（実施例４１〜５０、比較例１１、１２）  実施例４１〜５０は、実施例１〜１０における正極活物質層１Ｂ及び負極活物質層２Ｂ：Ｌｉ３＋ａＶ２−ｘＴｉｘ（ＰＯ４）３（ただし、ａ＝０、０≦ｘ≦１．５）を、Ｌｉ３Ｖ２−ｘＴｉｘＣａｘ（ＰＯ４）３（ただし、−０．３≦ａ≦０．７、ｘ＝１）に変更したこと以外は、実施例１〜１０と同様の条件である。電子伝導性［Ｓ／ｃｍ］及び内部抵抗［Ω］は、実施例１〜１０と同様の条件で測定された。【００８５】
【表５】
2019167783.tif 000007
【００８６】  表５から分かるように、Ｌｉ３＋ａＶ２−ｘＴｉｘ（ＰＯ４）３におけるＬｉの組成量を−０．３≦ａ≦０．７の範囲で調整した活物質は、電子伝導性の増加をし示し、当該活物質の内部抵抗の低減を示した。特に−０．２≦ａ≦０．６の範囲で調整した（実施例４２から実施例４９の）場合に、電子伝導性の増加、及び内部抵抗の低減が顕著に見られた。【００８７】  理論によって縛られるものではないが、このような電子伝導性の増加及び内部抵抗の減少は、。このようにして、活物質の電子伝導性が増加及び内部抵抗の減少が発生していると考えられる。【００８８】  一方、ａ≦−０．４や、０．８≦ａとした場合、電子伝導性の向上は観測されなかった。また、内部抵抗は増加した。
【符号の説明】
【００８９】１…第１電極層、正極層、１Ａ…正極集電体層、１Ｂ…正極活物質層、２…第２電極層、負極層、２Ａ…負極集電体層、２Ｂ…負極活物質層、３…固体電解質、４…積層体、５，６…端子電極、１０…全固体二次電池
【図１】
2019167783.tif 000008
【国際調査報告】
2019167783.tif 000009
2019167783.tif 000010
2019167783.tif 000011